(57)【特許請求の範囲】
【請求項１】
上面を構成する複数枚の上面側板部材を、横幅方向に沿う姿勢で且つ該横幅方向と直交する前後方向に所定間隔を置いてほぼ並行に配置し、これらの上面側板部材の下面に前記前後方向に沿う姿勢で且つ前記横幅方向に該上面側板部材同士の所定間隔よりも大きな間隔で複数の下面側板部材を取り付けたほぼ矩形状でほぼ同じ大きさの２枚の簀の子と、
前記２枚の簀の子を重ね合わせて折り畳んだ折り畳み姿勢と該２枚の簀の子をほぼ水平に展開した使用姿勢とに姿勢変更自在に該２枚の簀の子を連結するための連結部材と、
前記連結部材が上端に位置して２枚の簀の子が山形状となるように該簀の子のそれぞれを傾斜姿勢に維持するために、該一方の簀の子の傾斜方向ほぼ下側位置と該他方の簀の子の傾斜方向ほぼ下側位置とを連結するベルト状の姿勢維持部材とを備え、
傾斜姿勢において、前記姿勢維持部材が、その一端側を一方の簀の子の前記上面側板部材下面のほぼ下側に固定し、その他端側を折り返して筒部を形成した係止部を備えたものであり、他方の簀の子の前記上面側板部材下面のほぼ下側に固定した取付部材の側面から前記横幅方向へ立設された、前記係止部の筒部内に挿入可能なピンである被係止部を備えたことを特徴とする寝床用敷き板。
【請求項２】
上面を構成する複数枚の上面側板部材を、横幅方向に沿う姿勢で且つ該横幅方向と直交する前後方向に所定間隔を置いてほぼ並行に配置し、これらの上面側板部材の下面に前記前後方向に沿う姿勢で且つ前記横幅方向に該上面側板部材同士の所定間隔よりも大きな間隔で複数の下面側板部材を取り付けたほぼ矩形状でほぼ同じ大きさの２枚の簀の子と、
前記２枚の簀の子を重ね合わせて折り畳んだ折り畳み姿勢と該２枚の簀の子をほぼ水平に展開した使用姿勢とに姿勢変更自在に該２枚の簀の子を連結するための連結部材と、
前記連結部材が上端に位置して２枚の簀の子が山形状となるように該簀の子のそれぞれを傾斜姿勢に維持するために、該一方の簀の子の傾斜方向ほぼ下側位置と該他方の簀の子の傾斜方向ほぼ下側位置とを連結するベルト状の姿勢維持部材とを備え、
傾斜姿勢において、前記姿勢維持部材が、その一端側を一方の簀の子の前記上面側板部材下面のほぼ下側に固定し、その他端側を折り返して筒部を形成した係止部を備えたものであり、他方の簀の子の前記上面側板部材下面のほぼ下側に固定した取付部材の側面から前記横幅方向へ立設された、前記係止部の筒部内に挿入可能なピンである第１被係止部と、一方の簀の子の前記上面側板部材下面のほぼ上側に固定した取付部材の側面から前記横幅方向へ立設された、前記係止部の筒部内に挿入可能なピンである第２被係止部とを備えたことを特徴とする寝床用敷き板。
【請求項３】
係止部を有する姿勢維持部材、第１被係止部、第２被係止部を、下面側板部材と下面側板部材の間内に位置する関係に設定した請求項２記載の寝床用敷き板。
【請求項４】
２枚の簀の子を重ね合わせて折り畳んだ場合に、対面する下面側板部材と下面側板部材の高さをほぼ同じ高さとし、下面側板部材同士が、重なり合って当接しない位置に取り付けた請求項１〜３の何れか１項に記載の寝床用敷き板。
【請求項５】
２枚の簀の子からなる敷き板を、２組、一直線上に配し、隣接する簀の子と簀の子を姿勢変更自在な中央連結部材で連結した請求項１〜４の何れか１項記載の寝床用敷き板。
【請求項６】
４枚の簀の子において、中央の隣接する簀の子下面の下側に、それぞれ保持ベルトの一端側が連結され、また、両側に位置する簀の子の下側に、それぞれ貫通穴を設け、保持ベルトの他端部にそれぞれ着脱自在な止着部材を設けた請求項５記載の寝床用敷き板。
【発明の詳細な説明】
【技術分野】
【０００１】
本願発明は、２枚又は４枚の簀の子を床面に広げて設置し、それら簀の子の上に敷き布団を敷いて使用する寝床用敷き板に係わり、さらに詳しくは、この使用姿勢から傾斜姿勢や折り畳み姿勢に折り畳み可能な寝床用敷き板に関するものである。
【背景技術】
【０００２】
従来、就寝中の布団のムレなどを防止するために、敷き布団の下に簀の子を敷き、床面と敷き布団の間に空間を設けて通気性を良くし、安眠性を高めるようにしている。
【０００３】
そして、２枚の簀の子をヒンジで連結させた寝床用敷き板は、寝床用敷き板として使用するときには２枚の簀の子をヒンジを中心として展開して使用し、収納するときには前記ヒンジを中心に２枚の簀の子を折り畳んだ折り畳み姿勢に切り替えることができるようにしている。また、折り畳み姿勢の２枚の簀の子を、ヒンジを中心として回転させて、二枚の簀の子が山形状の傾斜姿勢を維持できるように４つの棒状部材が長方形状をなすように連結されてなる支持枠を該一方の簀の子に備えさせたものが既に提案されている。これは、前記ヒンジにて連結された簀の子のうちの一方の簀の子のヒンジ側とは反対側の端部に、前記長方形状の支持枠を構成する１つの棒状部材を枢支連結して、該支持枠全体を揺動可能に設けている。そして、前記山形状の傾斜姿勢にした２枚の簀の子のうちの支持枠が取り付けられていない側の簀の子の下端を、床面に接地するように水平姿勢に揺動した状態の前記支持枠にて載置支持すると同時に簀の子が開き側へ揺動されることを水平方向から支持枠との接当により阻止するようにして、２枚の簀の子が前記傾斜姿勢を維持できるようにしている。また、前記支持枠をそれが枢支連結されている側の簀の子の底面に揺動操作するための引っ張り用の紐の一端を該支持枠に貫通して連結すると共に、該紐の他端をヒンジに貫通して連結して、前記支持枠に載置している傾斜姿勢の一方の簀の子を上方に浮かせた状態にしてから、上端のヒンジに連結された紐を更に上方へ引っ張り操作することにより、支持枠を上方側へ揺動操作することによって、支持枠を簀の子の底面に位置させて、２枚の簀の子を折り畳み姿勢にすることができるようにしている（例えば、特許文献１参照。）。
【特許文献１】特開２００３−３３２５４号公報
【発明の開示】
【発明が解決しようとする課題】
【０００４】
傾斜姿勢の２枚の簀の子は、支持枠によって一方の簀の子の下端部を受け止めているだけの構造となっているため、寝床用敷き板に他物がぶつかるなどして、簀の子が浮き上がって簀の子の端部が支持枠から離脱し、２枚の簀の子が展開することなどがあった。
また、傾斜姿勢に維持された２枚の簀の子を折り畳み姿勢に姿勢変更するためには、前述のように傾斜姿勢の一方の簀の子を少し上方に浮かせた状態にしてから、簀の子の上端側にある紐を更に上方へ引っ張り操作しなければならず、折り畳み姿勢への姿勢変更のための操作が非常にやり難いものであった。
更に、２枚の簀の子をヒンジによって連結した寝床用敷き板は、ヒンジを中心に折り畳むことができ、家具と家具の間に収納したり、壁に立て掛けたりすることは可能であるが、折り畳んだ状態で姿勢維持するための手段を備えていないため、収納作業中に簀の子が展開してしまったり、壁などに立て掛けていた状態から展開するなどしていた。
また、寝床用敷き板として使用する場合、折り畳み姿勢において、４つの棒状部材が長方形状をなすように連結されてなる支持枠が邪魔になるといった問題点もあった。
【０００５】
本願発明は、係る問題に鑑み、寝床用敷き板として使用しないときには山形状の傾斜姿勢や折り畳み姿勢に変更できるだけでなく、傾斜姿勢の寝床用敷き板の上に布団を載せて布団干しとして使用することができ、傾斜姿勢から折り畳み姿勢への姿勢変更のための操作を容易迅速に行うことができ、更に人や物が該傾斜姿勢の寝床用敷き板にぶつかったときでも、傾斜姿勢を維持でき、また、折り畳み姿勢等をコンパクト形状に保持することができる寝床用敷き板を提供することを目的とする。
【課題を解決するための手段】
【０００６】
本願発明に係る寝床用敷き板は、上面を構成する複数枚の上面側板部材を、横幅方向に沿う姿勢で且つ該横幅方向と直交する前後方向に所定間隔を置いてほぼ並行に配置し、これらの上面側板部材の下面に前記前後方向に沿う姿勢で且つ前記横幅方向に該上面側板部材同士の所定間隔よりも大きな間隔で複数の下面側板部材を取り付けたほぼ矩形状でほぼ同じ大きさの２枚の簀の子と、
前記２枚の簀の子を重ね合わせて折り畳んだ折り畳み姿勢と該２枚の簀の子をほぼ水平に展開した使用姿勢とに姿勢変更自在に該２枚の簀の子を連結するための連結部材と、
前記連結部材が上端に位置して２枚の簀の子が山形状となるように該簀の子のそれぞれを傾斜姿勢に維持するために、該一方の簀の子の傾斜方向ほぼ下側位置と該他方の簀の子の傾斜方向ほぼ下側位置とを連結するベルト状の姿勢維持部材とを備え、
傾斜姿勢において、前記姿勢維持部材が、その一端側を一方の簀の子の前記上面側板部材下面のほぼ下側に固定し、その他端側を折り返して筒部を形成した係止部を備えたものであり、他方の簀の子の前記上面側板部材下面のほぼ下側に固定した取付部材の側面から前記横幅方向へ立設された、前記係止部の筒部内に挿入可能なピンである被係止部を備えたことを特徴としている。
更に、傾斜姿勢において、前記姿勢維持部材が、その一端側を一方の簀の子の前記上面側板部材下面のほぼ下側に固定し、その他端側を折り返して筒部を形成した係止部を備えたものであり、他方の簀の子の前記上面側板部材下面のほぼ下側に固定した取付部材の側面から前記横幅方向へ立設された、前記係止部の筒部内に挿入可能なピンである第１被係止部と、一方の簀の子の前記上面側板部材下面のほぼ上側に固定した取付部材の側面から前記横幅方向へ立設された、前記係止部の筒部内に挿入可能なピンである第２被係止部とを備えたものであってもよい。
【０００８】
また、係止部を有する姿勢維持部材、第１被係止部、第２被係止部を、下面側板部材と下面側板部材の間内に位置する関係に設定した方が好ましい。
【０００９】
更に、２枚の簀の子を重ね合わせて折り畳んだ場合に、対面する下面側板部材と下面側板部材の高さをほぼ同じ高さとし、下面側板部材同士が、重なり合って当接しない位置に取り付けてもよい。
【００１０】
更にまた、２枚の簀の子からなる敷き板を、２組、一直線上に配し、隣接する簀の子と簀の子を姿勢変更自在な中央連結部材で連結してもよい。
【００１１】
また、４枚の簀の子において、中央の隣接する簀の子下面の下側に、それぞれ保持ベルトの一端側が連結され、また、両側に位置する簀の子の下側に、それぞれ貫通穴を設け、保持ベルトの他端部にそれぞれ着脱自在な止着部材を設けてもよい。
【発明の効果】
【００１２】
以上にしてなる本願発明に係る請求項１記載の寝床用敷き板は、２枚の簀の子を水平姿勢に展開したときには、通気性、吸湿性等に優れた簀の子状の寝床用敷き板として使用できる。また、姿勢維持部材によって２枚の簀の子を傾斜姿勢に維持することができるので、傾斜姿勢の寝床用敷き板の上に布団を載せても、使用姿勢に姿勢変更することなく布団干しとしても使用することができる。しかも、係止部を有する姿勢維持部材、姿勢変更のための被係止部を、簀の子の上面側板部材の下面側に設けているとともに、姿勢維持部材が、その一端側を一方の簀の子の上面側板部材下面のほぼ下側に固定し、その他端側を折り返して筒部を形成した係止部を備えたものであり、被係止部が、他方の簀の子の上面側板部材下面のほぼ下側に固定した取付部材の側面から横幅方向へ立設された、係止部の筒部内に挿入可能なピンであるので、簀の子の下面内で姿勢維持部材を回動させてその筒部内へピンを挿入したり、その筒部内からピンを取り外すだけで、係止及び係止解除の操作が容易に行え、使用姿勢、傾斜姿勢、折り畳み姿勢へと姿勢変更を簡単に行うことができる。しかも、姿勢維持部材の係止部の筒部内に、被係止部のピンを挿入して係止され、傾斜姿勢に保持されるので、簀の子に人や物がぶつかるなどしても容易に係止状態を解除できないようになり、操作性及び信頼性において優れたものにすることができる。
【００１３】
また、請求項２記載の寝床用敷き板によれば、２枚の簀の子を水平姿勢に展開したときには、通気性、吸湿性等に優れた簀の子状の寝床用敷き板として使用できる。また、姿勢維持部材によって２枚の簀の子を傾斜姿勢に維持することができるので、傾斜姿勢の寝床用敷き板の上に布団を載せても、使用姿勢に姿勢変更することなく布団干しとしても使用することができる。しかも、係止部を有する姿勢維持部材、姿勢変更のための第１被係止部、使用姿勢のため第２被係止部を、簀の子下面の上面側板部材の下面側に設けているとともに、姿勢維持部材が、その一端側を一方の簀の子の上面側板部材下面のほぼ下側に固定し、その他端側を折り返して筒部を形成した係止部を備えたものであり、第１被係止部が、他方の簀の子の上面側板部材下面のほぼ下側に固定した取付部材の側面から横幅方向へ立設された、係止部の筒部内に挿入可能なピンであり、第２被係止部が、一方の簀の子の上面側板部材下面のほぼ上側に固定した取付部材の側面から横幅方向へ立設された、係止部の筒部内に挿入可能なピンであるので、簀の子の下面内で姿勢維持部材を回動させてその筒部内へピンを挿入したり、その筒部内からピンを取り外すだけで、係止及び係止解除の操作が容易に行え、使用姿勢、傾斜姿勢、折り畳み姿勢へと姿勢変更を簡単に行うことができる。しかも、姿勢維持部材の係止部の筒部内に、第１被係止部のピンを挿入して係止され、傾斜姿勢に保持されるので、簀の子に人や物がぶつかるなどしても容易に係止状態を解除できないようになり、操作性及び信頼性において優れたものにすることができる。
更に、傾斜姿勢以外の場合、姿勢維持部材を延ばして簀の子下面に配した状態で、姿勢維持部材他端の係止部を、第２被係止部に係止して固定保持することができるので、使用姿勢等において、姿勢維持部材が邪魔になることがない。
【００１５】
請求項３記載の寝床用敷き板では、姿勢維持部材の係止部を、第２被係止部に係止させると、簀の子下面の下面側板部材と下面側板部材の間内に、姿勢維持部材を延ばした状態で保持することができるので、寝床用敷き板として使用する場合に、姿勢維持部材等が邪魔になることなく、使用することができる。
【００１６】
請求項４記載の寝床用敷き板では、下面側板部材同士が重なり合わないで、２枚の簀の子を板状に折り畳むことができるので、コンパクトな形状の折り畳み姿勢にすることができる。
【００１７】
請求項５記載の寝床用敷き板では、４枚の簀の子を、使用姿勢、傾斜姿勢、折り畳み姿勢へと姿勢変更することができ、特に、傾斜姿勢においては、Ｍ字形状とすることができ、布団の乾燥をより効果的に行うことができる。
【００１８】
請求項６記載の寝床用敷き板では、折り畳んだ簀の子の貫通穴から保持ベルトを引き出し、保持ベルトを巻き付けて、止着部材で止着することで、コンパクトに折り畳んだ状態に保持することができる。
【発明を実施するための最良の形態】
【００１９】
図１は、傾斜姿勢時の寝床用敷き板の斜視図であり、図２は、使用姿勢時の寝床用敷き板の正面図であり、図３は、背面図であり、図４は、部分拡大図であり、図５は、姿勢維持部材の係止、解除を示す部分断面図であり、図６は、傾斜姿勢時における姿勢維持部材の係止を示す部分拡大斜視図であり、図７は、折り畳み姿勢時の斜視図である。
【００２０】
本願発明に係る寝床用敷き板Ａは、図２及び図３に示すように、ほぼ矩形状で且つ同じ大きさの２枚の簀の子１ａ，１ｂを連結部材２で連結した敷き板３を，２組、中央連結部材４で連結してなり、更に、係止部５を有する姿勢維持部材６、傾斜姿勢のための第１被係止部７、使用姿勢のため第２被係止部８を備えたものである。
そして、該４枚の簀の子１ａ，１ｂ…をほぼ水平に展開して使用姿勢にしたときには、図２及び図３に示すように、その上に敷き布団を敷いて使用する。
更に、図１に示すように、連結部材２，２が上端に位置するように、４枚の簀の子１ａ，１ｂ…がＭ字形状の傾斜姿勢に姿勢変更した場合には、この上に布団Ｆを載せて布団干しとして使用することができる。
また、図７に示すように、４枚の簀の子１ａ，１ｂ…を重ね合わせて折り畳んだ折り畳み姿勢に姿勢変更したときには、家具と家具の隙間などに収納したり、壁に立て掛ける等して、小さなスペースでも収納できる。
よって、使用姿勢では、就寝時には通気性の良い（つまり、ムレが防止されている）敷き板として使用できるだけでなく、簀の子１ａ，１ｂ…の通気性の良さを利用して傾斜姿勢では布団干しとして使用することができるものである。
【００２１】
簀の子１ａ，１ｂ…は、図２及び図３に示すように、上面を構成する複数枚の上面側板部材９，…，９を、横幅方向（使用姿勢に於ける、寝床用敷き板Ａの短手方向）に沿う姿勢で且つ該横幅方向と直交する前後方向（使用姿勢に於ける、寝床用敷き板Ａの長手方向）に所定間隔を置いてほぼ並行に配置し、これらの上面側板部材９の下面に前記前後方向に沿う姿勢で且つ前記横幅方向に該上面側板部材９同士の所定間隔よりも大きな間隔で複数の下面側板部材１０を取り付けている。また、前記上面側板部材９の上面は平面状の板部材であり、図３等に示すように、上面側板部材９と他の上面側板部材９との間の隙間は、該上面側板部材９の横幅（上面側板部材９の短手方向の長さ）に比べて小さくなるように配置されている。そして、前記上面側板部材９の多数を平行になるように配置したときも、それらによってできる簀の子１ａ，１ｂの上面は、ほぼ平面状になるように構成されている。また、前記下面側板部材１０と他の下面側板部材１０との間の間隔は、前記上面側板部材９と他の上面側板部材９との間にできる間隔に比べて大きくなっており、前記上面側板部材９と床面との間にできる空間を大きくすることによって、寝具用敷き板Ａの前後方向（長手方向）の通気性の向上を図っている。
そして、上面側板部材９には、通気孔１１が規則正しく設けられている。ここで、通気孔１１は、図５に示すように、上面側板部材９の上面側の第１孔１１ａの径を下面側の第２孔１１ｂの径より大きい孔にすることで、寝具と第１孔１１ａとの接触部分を大きくして通気性を向上させ、かつ、上面側板部材９の強度を維持している。
図例の寝床用敷き板Ａでは、一方の簀の子１ａの下側の二枚の上面側板部材９には、通気孔１１が設けられておらず、中央には貫通穴１２（通常は、取手として使用できる）が設けられ、他方の簀の子１ｂの下側の一枚の上面側板部材９には、通気孔１１も貫通穴１２も設けられていない。
【００２２】
なお、本実施例では、簀の子１ａ，１ｂは、８枚の上面側板部材９，…，９、６枚の前記下面側板部材１０，…，１０を備えているが、上面側板部材９及び下面側板部材１０の枚数はこれに限定されるものではない。また、前記上面側板部材９、及び下面側板部材１０の材料としては、就寝時のムレ防止、つまり、通気性、吸湿性等の観点、さらには、寝床用敷き板Ａとしての耐久性等の観点から木材を使用することが好ましいが、合成樹脂等の他の材料であってもよい。
【００２３】
前記連結部材３と中央連結部材４は、図３等に示すように、可撓性（柔軟性）を有する材料、例えば布（革、合成皮革、軟質合成樹脂等でもよい）からなるベルト状（帯状）の部材である。紐状のものであってもよい。
そして、寝具用敷き板Ａでは、簀の子１ａ，１ｂの上面側板部材９の上面側に連結部材２の端部が固定部材１３を介して釘又はビスなどによって固定されている。また、中央連結部材４は、敷き板３と敷き板３を連結するためのものであり、隣接する簀の子１ｂと簀の子１ｂの上面側板部材９の下面側に中央連結部材４の端部が固定部材１３を介して釘又はビスなどによって固定されている。
これらの連結部材２と中央連結部材４によって、寝床用敷き板Ａを、使用姿勢、傾斜姿勢、折り畳み姿勢に姿勢変更可能にしている。
【００２４】
また、図１に示すように、前記傾斜姿勢において、一方の簀の子１ａの傾斜方向ほぼ下側位置と、他方の簀の子１ｂの傾斜方向ほぼ下側位置を連結するベルト状（帯状）で可撓性（柔軟性）を有する姿勢維持部材６を敷き板３ごとに備えており、該姿勢維持部材６によって、双方の簀の子１ａ，１ｂの傾斜方向ほぼ下側位置を連結して、前記傾斜姿勢を維持できるようになっている。
姿勢維持部材６は、簀の子１ａの幅より短い長さに設定されており、使用姿勢にあっては、図３に示すように、簀の子１ａ下面の両側に、下側から上側に向かって姿勢維持部材６が配設されている。
【００２５】
この姿勢維持部材６の一端は、図４等に示すように、一方の簀の子１ａの前記傾斜方向下側に位置する上面側板部材９の下面に姿勢維持用固定部材１４を介して釘又はビスなどによって固定され、該姿勢維持部材６のもう一端には、係止部５が備えられている。そして、他方の簀の子１ｂの傾斜方向下側に位置する上面側板部材９に、該係止部５に、係止及び係止解除可能な第１被係止部７を備え、係止部５と第１被係止部７の係止によって、該２枚の簀の子１ａ，１ｂが水平に展開することを阻止している。
なお、前記姿勢維持用固定部材１４が固定される位置、及び前記第１被係止部７が備えられる位置は、傾斜方向の下側に限定するものではなく、中間までの途中の位置であってもよく、これらの位置を含めて、「ほぼ下側」と称する。
また、姿勢維持部材６は、図３に示すように、簀の子１ａ，１ｂの幅より短い長さに設定されており、簀の子１ａ，１ｂをほぼ水平に展開した使用姿勢において、姿勢維持部材６を上側に真っ直ぐ延ばした状態で保持できるように、姿勢維持部材６の係止部５を、係止及び係止解除可能な第２被係止部８が、同一の簀の子１ａ下面の上側に設けられている。
なお、第２被係止部８も、簀の子１ａ下面の上側でなくても、もっと短い姿勢維持部材６を用いることにより、中間までの途中の位置であってもよく、これらの位置を含めて、「ほぼ上側」と称する。
【００２６】
係止部５は、図５及び図６に示すように、姿勢維持部材６であるベルトの他端部を折り返して筒状として、この折り返した部分を縫着したり、接着剤で固定して筒部１５を形成している。
【００２７】
第１被係止部７及び第２被係止部８としては、図４及び図６に示すように、板状の取付部材１６の側面から、係止部５の筒部１５内に挿入可能なピン１７が立設されたものが採用されており、姿勢維持部材７の係止部５を、第２被係止部８に係止させると、保持された姿勢維持部材７は、簀の子１ａ下面の下面側板部材１０と下面側板部材１０の間に位置し、下面側板部材１０より突出しない位置関係に設定されている。
【００２８】
なお、係止部５と第１被係止部７，第２被係止部８は、上述した手法のものに限定されるものではなく、係止及び係止解除可能であればよく、さまざまな係止部と被係止部を採用することができる。また、筒部を、被係止部として設け、ピンを、係止部として用いることも可能である。更に、必要に応じて、第２被係止部８を省略することも可能である。
【００２９】
寝床用敷き板Ａは、図３及び図７に示すように、ほぼ矩形状でほぼ同じ大きさの４枚の簀の子を重ね合わせて折り畳んで折り畳み姿勢とした場合に、重なり合う簀の子１ａ下面と簀の子１ｂ下面に対面して設けられた下面側板部材１０の高さと下面側板部材１０の高さがほぼ同じ高さに設定されており、下面側板部材１０同士が、重なり合って当接しないように、対面する下面側板部材１０の取り付け位置と下面側板部材１０の取り付け位置がずれないように設定されている。
また、中央の隣接する簀の子１ｂと簀の子１ｂ下面の下側に、それぞれ保持ベルト１８の一端が固定部材１３を介して釘又はビスなどによって固定されて連結され、更に、４枚の簀の子のうち、両側に位置する簀の子１ａ，１ａ下面の下側に、それぞれ貫通穴１２が設けられ、２枚の簀の子１ａ，１ｂを重ね合わせて折り畳んだ後、この貫通穴１２から引き出した保持ベルト１９の両端部に設けられた止着部材１９である面ファスナー２０，２０で、止着可能としたものである。このように、図７に示すように、寝床用敷き板Ａを折り畳んで折り畳み姿勢に姿勢変更することができる。
なお、止着部材１９として、面ファスナー２０，２０の他に、磁石を用いたり、他の公知の手段を用いることも可能である。
【００３０】
よって、寝床用敷き板Ａによれば、図３のように、裏返した４枚の簀の子１ａ，１ｂ…を広げ、姿勢維持部材６を延ばして、係止部５である筒部１５内に、第２被係止部８であるピン１７を挿入して係止させることにより、簀の子１ａ下面の下面側板部材１０と下面側板部材１０の間に姿勢維持部材６等を収納することができる。この状態で、簀の子１ａ，１ｂ…の上面が上を向くように、裏返して４枚の簀の子１ａ，１ｂ…をほぼ水平に展開した使用姿勢にし、その上に敷き布団を敷いて使用すれば、通気性、吸湿性等に優れた簀の子状の寝床用敷き板Ａとして使用することができる。
また、使用姿勢において、係止部５と第２被係止部８が係止されて姿勢維持部材６が、簀の子１ａ下面の下面側板部材１０と下面側板部材１０の間内に位置した状態に保持されるので、使用時に、姿勢維持部材７が簀の子１ａからはみ出して邪魔になったりすることがない。
【００３１】
更に、姿勢維持部材６の係止部５と第２被係止部８との係止を解いて、２組の簀の子１ａ，１ｂ…を山形状とし、係止部５の筒部１５と第１被係止部７のピン１７を係止させることにより、一方の簀の子１ａの傾斜方向下側位置と他方の簀の子１ｂの傾斜方向下側位置とを姿勢維持部材７で連結することにより、図１に示すように、連結部材２，２を上端に位置させて、４枚の簀の子１ａ，１ｂ…がＭ字形状の傾斜姿勢に姿勢変更することができ、この上に布団を載せて布団干しとして使用することができる。
このように、寝床用敷き板Ａによれば、簀の子１ｂに備えられた第１被係止部７と、姿勢維持部材６に備えられる係止部５とが簀の子１ａ，１ｂの傾斜方向下側にて係止しており、しかも、ピン１７が筒部１５内に挿入されて確実に保持されるので、簀の子に人や物がぶつかるなどして簀の子１ａ，１ｂ…が少し浮き上がったとしても容易に係止状態が解除できない構造となっている。
【００３２】
また、２枚の簀の子１ａ，１ｂを重ね合わせて折り畳んだ後、この貫通穴１２から引き出した保持ベルト１８の両端部を止着部材１９である面ファスナー２０，２０で固定することにより、図７に示すように、寝床用敷き板Ａを折り畳んで折り畳み姿勢に姿勢変更することができる。このように、４枚の簀の子を重ね合わせて折り畳んだ折り畳み姿勢に姿勢変更したときには、家具と家具の隙間などに収納したり、壁に立て掛ける等して、小さなスペースでも収納できる。
【００３３】
上述した例では、２組の敷き板３を用いて、寝床用敷き板Ａとしているが、簀の子１の長さを長くすれば、１組の敷き板３を用いて、寝床用敷き板Ａとすることも可能であり、また、寝床用敷き板Ａとして、敷き板３を、３組、４組…と連結することも可能である。
なお、寝床用敷き板Ａは、寝床用としての他に、サイズを小さくすれば、風呂場での敷き板として使用することも可能である。
【図面の簡単な説明】
【００３４】
【図１】傾斜姿勢時の寝床用敷き板の斜視図である。
【図２】使用姿勢時の寝床用敷き板の正面図である。
【図３】使用姿勢時の寝床用敷き板の背面図である。
【図４】使用姿勢時の寝床用敷き板の部分拡大図である。
【図５】使用姿勢時における姿勢維持部材の係止、解除を示す部分断面図である。
【図６】傾斜姿勢時における姿勢維持部材の係止を示す部分斜視図である。
【図７】折り畳み姿勢時の寝床用敷き板の斜視図である。
【符号の説明】
【００３５】
Ａ 寝床用敷き板
Ｆ 布団
１ａ，１ｂ 簀の子
２ 連結部材
３ 敷き板
４ 中央連結部材
５ 係止部
６ 姿勢維持部材
７ 第１被係止部
８ 第２被係止部
９ 上面側板部材
１０ 下面側板部材
１１ 通気孔
１２ 貫通穴
１３ 固定部材
１４ 姿勢維持用固定部材
１５ 筒部
１６ 取付部材
１７ ピン
１８ 保持ベルト
１９ 止着部材
２０ 面ファスナー
【図１】
0004882968.tif 000002
【図２】
0004882968.tif 000003
【図３】
0004882968.tif 000004
【図４】
0004882968.tif 000005
【図５】
0004882968.tif 000006
【図６】
0004882968.tif 000007
【図７】
0004882968.tif 000008